(57)【要約】【課題】少なくとも一種のチタン及び酸素以外の第三元素を含む薄片状チタン酸化物粒子を有機溶媒に配合した分散体を提供する。【解決手段】少なくとも一種の第三元素を含む層状チタン酸化物粒子を有機カチオンと接触させ、層状構造を剥離して、少なくとも一種の第三元素を含む薄片状チタン酸化物粒子の水性分散体を製造する第一工程、前記水性分散体から、少なくとも一種の第三元素を含む薄片状チタン酸化物粒子を含む固形分を抽出する第二工程、及び前記固形分を有機溶媒に分散させる第三工程を含む方法により製造する。【選択図】図１
2011184274.tif 000002
【特許請求の範囲】
【請求項１】
有機溶媒及び前記有機溶媒に分散された少なくとも一種の第三元素を含む薄片状チタン酸化物粒子を含む有機溶媒分散体。
【請求項２】
薄片状チタン酸化物粒子の一部又は全部がナノシートの形状である、請求項１に記載の有機溶媒分散体。
【請求項３】
ナノシートの重量が薄片状チタン酸化物粒子の重量に対し５０重量％以上である、請求項２に記載の有機溶媒分散体。
【請求項４】
薄片状チタン酸化物の組成式がＴｉ１−ｘＭｘＯ２（０＜ｘ＜０．５，ＭはＦｅ，Ｃｏ，Ｎｉ，Ｍｎから選ばれる少なくとも一種）である、請求項１に記載の有機溶媒分散体。
【請求項５】
薄片状チタン酸化物の組成式がＴｉＮｂＯ５、Ｔｉ２ＮｂＯ７及びＴｉ５ＮｂＯ１４からなる群より選ばれる少なくとも一種である、請求項１に記載の有機溶媒分散体。
【請求項６】
有機溶媒の誘電率が５以上である、請求項１に記載の有機溶媒分散体。
【請求項７】
有機溶媒が、アセトニトリル、メタノール、Ｎ，Ｎ−ジメチルホルムアミド、ジメチルスルホキシド、エタノール、２−プロパノール、ホルムアミド、メチルエチルケトン及び１−ブタノールからなる群より選ばれる少なくとも一種である、請求項１に記載の有機溶媒分散体。
【請求項８】
少なくとも一種の第三元素を含む層状チタン酸化物粒子を有機カチオンと接触させ、層状構造を剥離して、少なくとも一種の第三元素を含む薄片状チタン酸化物粒子の水性分散体を製造する第一工程、
前記水性分散体から、少なくとも一種の第三元素を含む薄片状チタン酸化物粒子を含む固形分を抽出する第二工程、及び
前記固形分を有機溶媒に分散させる第三工程、
を含む有機溶媒分散体の製造方法。
【請求項９】
第二工程において、薄片状チタン酸化物粒子の水性分散体を遠心分離及び／又は凍結乾燥して固形分を抽出する、請求項８に記載の有機溶媒分散体の製造方法。
【請求項１０】
第一工程において、層状チタン酸化物粒子を有機カチオンと接触させ、振とうすることによりホスト層一枚単位にまで剥離する、請求項８に記載の有機溶媒分散体の製造方法。
【請求項１１】
有機カチオンの炭素数が７以上である、請求項８に記載の有機溶媒分散体の製造方法。
【請求項１２】
請求項１〜７のいずれか一項に記載の有機溶媒分散体を用いて成膜されたチタン酸化物薄膜。
【請求項１３】
ナノシートが単層で配列して形成された単層膜である、請求項１２に記載のチタン酸化物薄膜。
【請求項１４】
請求項１３に記載の単層膜が積層して形成された多層膜である、請求項１２に記載のチタン酸化物薄膜。
【請求項１５】
請求項１〜７のいずれか一項に記載の有機溶媒分散体と樹脂とを含む樹脂組成物。
【請求項１６】
請求項１〜７のいずれか一項に記載の有機溶媒分散体を含むコーティング剤。
【発明の詳細な説明】
【技術分野】
【０００１】
本発明は、少なくとも一種のチタン及び酸素以外の第三元素を含む薄片状チタン酸化物粒子を有機溶媒に配合した分散体及びその製造方法に関する。また、前記の有機溶媒分散体を用いた、少なくとも一種の第三元素を含むチタン酸化物薄膜及びその製造方法に関する。
【背景技術】
【０００２】
薄片状チタン酸化物粒子は、厚さに対する幅及び長さの比が比較的大きな形状を有するものであり、例えば厚さが０．５〜１００ｎｍ程度、幅及び長さが０．１〜５００μｍ程度のものが知られている。中でも、その厚みをより薄くしたもの、例えば層状チタン酸化物のホスト層を一枚単位に剥離して得られるような厚さが１ｎｍ程度、幅及び長さが０．１〜１００μｍ程度のものはチタン酸化物ナノシートと呼ばれる。このような薄片状チタン酸化物粒子は、従来のチタン酸化物と同じ用途、例えば、顔料、光触媒、触媒、触媒担体、吸着剤等のほか、日焼け防止化粧料、塗料やフィルムに配合する紫外線遮蔽剤、プラスチック、ゴム等の充填剤、トナー等の電荷調整剤、塗料、インキ等の粘度調整剤、固体潤滑剤への添加剤、摩擦材への摩擦調整剤、誘電体、圧電体等のファインセラミックス材料、光電変換材料、フォトクロミック材料、導電性材料、赤外線反射材料、磁性半導体、電池の電極材料、各種センサー、更には他物質の配向結晶成長のためのシードレイヤーなどに用いられる。特に、チタン酸化物ナノシートを用いると薄層が形成できることから基材上にチタン酸化物薄膜を形成して紫外線遮蔽剤、光触媒、光反射防止剤などの光機能性材料として好適に用いられる。また、チタン酸化物ナノシートをプラスチックに配合するとプラスチックの機械的強度、耐熱性、ガスバリヤー性等を高めることができる。
【０００３】
薄片状チタン酸化物粒子に関して、特開２００４−２５５６８４号公報は、Ｔｉ１−ｘ／２ｎＭｘ／２ｎＯ２〔Ｍは、Ｌｉ、Ｍｇ、Ｆｅ、Ｎｉ、Ｚｎ、Ｃｏ、Ｃｒ、Ｍｎ、Ｃｕ、Ａｌより選ばれる１種又は２種以上の金属、ｎは（４−Ｍの平均価数）、０．５≦ｘ≦１〕で表されるチタニアを主成分としてなるナノシートを含む水性分散体を記載している。また、特開２００８−３１００７８号公報は、化学式：Ｔｉ２−ｘＭｘＯ４（ただし、Ｍ＝Ｖ，Ｃｒ，Ｍｎ，Ｆｅ，Ｃｏ，Ｎｉ，Ｃｕから選ばれる少なくとも１種の遷移金属、０＜ｘ＜２）で表され、Ｔｉ格子位置に上記遷移金属の少なくとも１種が置換した層状チタン酸化物微結晶を化学的処理により結晶構造の基本最小単位である層一枚にまで剥離して得られる薄片粒子（ナノシート）を記載している。そして、薄片粒子（ナノシート）の水性分散体あるいはその水性分散体にゼラチン等の水溶性有機化合物を添加し、スピンコーター等を用いて基材に塗布し、乾燥してチタン酸化物薄膜を形成している。
【０００４】
一方、薄片状金属酸化物粒子を配合した有機溶媒分散体に関して、特開２００６−２０６４２６号公報は、有機カチオンを形成する化合物と、チタン源と、有機溶媒を混合することにより、層状チタン酸ナノシートの有機溶媒分散液が得られるとしている。また、特開２００５−２２０００１号公報には、層状金属酸化物を有機極性溶剤中において、炭素数の合計が６以下のアルキルアミン又はアルキルアンモニウム化合物と接触させ、これをインターカレーションすることにより層間間隔を拡大させたのち、剪断力を印加して劈開させ、厚さ１ｎｍ以下の金属酸化物ナノシートを形成させてなる金属酸化物薄膜形成用塗布液が開示されている。
【先行技術文献】
【特許文献】
【０００５】
【特許文献１】特開２００４−２５５６８４号公報
【特許文献２】特開２００８−３１００７８号公報
【特許文献３】特開２００６−２０６４２６号公報
【特許文献４】特開２００５−２２０００１号公報
【発明の概要】
【発明が解決しようとする課題】
【０００６】
特許文献１、２は、チタン酸化物ナノシートの水性分散体を開示しているものの、有機溶剤分散体については記載していない。一方、特許文献３の実施例２では、ジメチルオクチルアミンを水とイソプロピルアルコールの混合溶媒に溶解させ、これにチタンテトライソプロポキシドのチタン源を徐々に滴下して、層状チタン酸を含む無色透明溶液を作製している。無色透明溶液との記載から、得られた層状チタン酸は、溶解した状態であって結晶性酸化チタンは存在していないか、存在していても光の散乱に影響を及ぼさない程度の小さなものであると考えられる。また、特許文献４の実施例７では、実施例１におけるＭｏＯ３の代わりにＨｘＴｉ２−ｘ／４Ｏ・ｎＨ２Ｏを用いるとされており、実施例１と同様にＨｘＴｉ２−ｘ／４Ｏ・ｎＨ２Ｏ  ０．１ｇに対して、水１ミリリットル、ヘキシルアミン１ミリリットルを添加すると、ヘキシルアミン／チタンのモル比が過剰であるため、酸化チタンナノシートの収率は極めて低く、ほとんどが層状チタン酸の状態である。また、層状チタン酸の層間を剥離するには、液体窒素で冷却を行い、真空減圧後に封緘するなど工業的には実施が困難な工程を経て処理されており、さらに、スターラーを用いて撹拌しただけでは剥離ができず、少なくとも５時間以上、場合によっては１週間以上の長時間の超音波処理を必要とするなどの問題がある。
チタン酸化物ナノシートが単層で稠密に配列した膜（稠密単層膜）の作製方法としては、交互積層法と超音波処理を組み合わせた方法、Langmuir-Blodgett法等が知られているが、これらの方法は装置上の問題から大きなスケールの成膜が難しく、工業的に不向きである。また、従来のチタン酸化物ナノシートを配合した水分散体では表面張力の高さなど種々の影響で基材とのなじみが悪いことから、基材にコートすることは難しく、稠密単層膜は得られなかった。
【０００７】
そこで、本発明は、工業的に有利に実施でき、収率の高い、少なくとも一種の第三元素を含む薄片状チタン酸化物粒子（以下、略して「薄片状チタン酸化物粒子」という場合がある）を配合した有機溶媒分散体及びその製造方法を提供する。また、本発明は、工業的に有利に実施でき、しかも広範囲の基材に適用できる、少なくとも一種の第三元素を含むチタン酸化物薄膜（以下、略して「チタン酸化物薄膜」という場合がある）、特にチタン酸化物ナノシートが単層で稠密に配列した膜（稠密単層膜）、その稠密単層膜が積層したチタン酸化物薄膜及びその製造方法を提供する。
【課題を解決するための手段】
【０００８】
本発明者らは、少なくとも一種の第三元素を含む薄片状チタン酸化物粒子を有機溶媒に配合した分散体を得るべく種々研究した結果、少なくとも一種の第三元素を含む層状チタン酸化物を有機カチオンと接触させ、層状構造を剥離して、薄片状チタン酸化物粒子の水性分散体を予め調製し、それを遠心分離して得られた沈降物を有機溶媒に添加すると、比較的簡単に薄片状チタン酸化物粒子を有機溶媒に分散させられること、また、前記の薄片状チタン酸化物粒子の水性分散体を凍結乾燥した後、得られた凍結乾燥物を有機溶媒に混合しても同様の分散体が得られることなどを見出した。
また、この方法で得られた薄片状チタン酸化物粒子を含む有機溶媒分散体を用いると少なくとも一種の第三元素を含むチタン酸化物薄膜が簡単に得られること、特にチタン酸化物ナノシート有機溶媒分散体を基材にコートし、乾燥させるという簡便な方法でチタン酸化物ナノシート（以下、ナノシートということがある。）が単層で稠密に配列した膜を得ることができることなどを見出し、本発明を完成した。
【０００９】
すなわち、本発明は、
（１）有機溶媒及び前記有機溶媒に分散された少なくとも一種の第三元素を含む薄片状チタン酸化物粒子を含む有機溶媒分散体、
（２）少なくとも一種の第三元素を含む層状チタン酸化物粒子を有機カチオンと接触させ、層状構造を剥離して、少なくとも一種の第三元素を含む薄片状チタン酸化物粒子の水性分散体を製造する第一工程、
前記水性分散体から、少なくとも一種の第三元素を含む薄片状チタン酸化物粒子を含む固形分を抽出する第二工程、及び
前記固形分を有機溶媒に分散させる第三工程、
を含む有機溶媒分散体の製造方法。
（３）前記の有機溶媒分散体を用いて成膜されたチタン酸化物薄膜などである。
【発明の効果】
【００１０】
本発明の有機溶媒分散体によれば、結晶性を有する、少なくとも一種の第三元素を含む薄片状チタン酸化物粒子を有機溶媒に長期間にわたって安定して分散させることができる。このため、薄片状チタン酸化物粒子を種々の用途に用いることができ、水性分散体よりも塗料、インキ、プラスチック、ゴム、潤滑剤、摩擦材等への配合の際に有利であり、薄片状チタン酸化物粒子の適用拡大を図ることができる。また、溶媒を有機溶剤とすることで基材とのなじみが良くなり、基材へコートすることができるため、チタン酸化物薄膜、特にチタン酸化物ナノシートの稠密単層膜、その稠密単層膜が積層したチタン酸化物薄膜などが得られる。しかも、このようなチタン酸化物薄膜の製造は有機溶媒の使用により低温度で行うことができ、温度に脆弱な基材への適用が可能となる。
具体的な用途としては、光触媒、紫外線遮蔽剤、透明性材料、反射防止材料、ガスバリヤー性材料、誘電体、圧電体等のファインセラミックス材料、光電変換材料、フォトクロミック材料、導電性材料、赤外線反射材料、磁性半導体、電池の電極材料、各種センサー、更には他物質の配向結晶成長のためのシードレイヤー等の種々の用途が挙げられる。また、プラスチック等の樹脂に薄片状チタン酸化物粒子を配合して、樹脂に機械的強度等を付与することができる。
また、本発明の有機溶媒分散体は、少なくとも一種の第三元素を含む薄片状チタン酸化物粒子の水性分散体を遠心分離するか、凍結乾燥した後、有機溶媒と混合して得られるため、水分をほとんど含まない有機溶媒分散体を比較的簡便に製造することができる。
また、前記の有機溶媒分散体を基材にコートし、次いで、室温〜３００℃の範囲の温度下で成膜するなどの比較的簡便な方法によりチタン酸化物薄膜を製造することができる。
【図面の簡単な説明】
【００１１】
【図１】試料Ａ１（実線）、ａ（破線）の吸光度測定結果である。
【図２】試料Ｂ１（実線）、ｂ（破線）の吸光度測定結果である。
【図３】試料Ｃ１（実線）、ｃ（破線）の吸光度測定結果である。
【図４】試料Ｄ１（実線）、ｄ（破線）の吸光度測定結果である。
【図５】試料Ａ２の走査プローブ顕微鏡写真である。
【図６】試料Ｂ２の走査プローブ顕微鏡写真である。
【図７】試料Ｃ２の走査プローブ顕微鏡写真である。
【図８】試料Ｄ２の走査プローブ顕微鏡写真である。
【発明を実施するための形態】
【００１２】
チタンと酸素と、チタンと酸素以外の少なくとも一種の第三元素を含む薄片状チタン酸化物には、例えばチタンと第三元素とを含む複合酸化物あるいは酸化チタンに第三元素が固溶した固溶体が含まれる。チタン酸化物は、酸化物の状態のほかに、酸化合物、含水酸化物、水和酸化物の状態であっても良い。
第三元素としては、主に金属元素を用いることができ、例えば周期表Ｉａ族、ＩＩａ族、ＩＩＩａ族、ＩＶａ族、Ｖａ族、Ｉｂ族、ＩＩｂ族、ＩＩＩｂ族（ランタノイドを含む）、ＩＶｂ族（チタンを除く）、Ｖｂ族、ＶＩｂ族、ＶＩＩｂ族、ＶＩＩＩ族等の金属元素が挙げられ、これらの少なくとも一種を用いることができる。具体的には、Ｌｉ、Ｍｇ、Ａｌ、Ｓｎ、Ｓｂ、Ｃｕ、Ｚｎ、Ｚｒ、Ｖ、Ｎｂ、Ｃｒ、Ｍｏ、Ｗ、Ｍｎ、Ｆｅ、Ｃｏ、Ｎｉ、Ｒｕ、Ｃｅ等の少なくとも一種が好ましく、この中でも遷移金属がより好ましい。より具体的には、特開２００４−２５５６８４号公報に記載のＴｉ１−ｘ／２ｎＭｘ／２ｎＯ２〔Ｍは、Ｌｉ、Ｍｇ、Ｆｅ、Ｎｉ、Ｚｎ、Ｃｏ、Ｃｒ、Ｍｎ、Ｃｕ、Ａｌより選ばれる１種又は２種以上の金属、ｎは（４−Ｍの平均価数）、０．５≦ｘ≦１〕で表されるものが好ましく、また、特開２００８−３１００７８号公報に記載の化学式：Ｔｉ２−ｘＭｘＯ４（ただし、Ｍ＝Ｖ，Ｃｒ，Ｍｎ，Ｆｅ，Ｃｏ，Ｎｉ，Ｃｕから選ばれる少なくとも１種の遷移金属、０＜ｘ＜２）で表されるものが好ましい。更に、組成式で表して、Ｔｉ１−ｘＭｘＯ２（０＜ｘ＜０．５，Ｍ＝Ｆｅ，Ｃｏ，Ｎｉ，Ｍｎから選ばれる少なくとも一種）である薄片状チタン酸化物がより好ましく、また、ＴｉＮｂＯ５、Ｔｉ２ＮｂＯ７及びＴｉ５ＮｂＯ１４からなる群より選ばれる少なくとも一種であるものがより好ましい。
【００１３】
薄片状チタン酸化物粒子の大きさは薄片状チタン酸化物粒子の薄片面の幅方向のサイズ（具体的には最長幅を「長さ」といい、長さに対して最短幅を「幅」ということがある）と、薄片面に対する垂直方向の厚みとで規定して、幅方向のサイズは１００ｎｍ以上が好ましく、０．１〜５００μｍ程度のものが分散性の観点から好ましく０．１〜３０μｍ程度がより好ましい。厚さは０．５〜１００ｎｍ程度が好ましく、０．５〜５０ｎｍ程度がより好ましい。薄膜を作製し易いため薄いものが好ましく１０ｎｍ以下がより好ましく、５ｎｍ以下がより好ましく、０．５〜２ｎｍが更に好ましい。幅（最短幅）／厚みは１０以上が好ましく、３０以上がより好ましい。薄片状チタン酸化物粒子のうち、厚さが１０ｎｍ以下、好ましくは０．５〜１ｎｍ程度、幅及び長さが０．１〜１００μｍ程度のものを、チタン酸化物ナノシートという。
薄片状チタン酸化物粒子の大きさは後述するように薄片状チタン酸化物粒子の製造条件、剥離条件を変更して適宜調整することができ、走査プローブ顕微鏡によって求めることができる。
【００１４】
薄片状チタン酸化物粒子は後述の通り層状チタン酸化物粒子を剥離して得られるものである。層状チタン酸化物粒子の状態では層間にアルカリ金属などのカチオンが存在し、ホスト層のチタン酸化物との電荷バランスを保っているが、剥離して得られた薄片状チタン酸化物は負電荷を帯びており、不安定な状態である。そこで有機カチオンを共存させ電荷バランスを中性にすることで、薄片状チタン酸化物は安定な分散状態を維持することができる。有機カチオンの含有量は、後述する層状チタン酸化物に含まれる水素（Ｈ）に対して０．０５〜３当量の範囲が好ましく、０．１〜３当量の範囲がより好ましく、０．９〜１．５当量が更に好ましい。有機カチオンとしては、４級アンモニウムイオン、アルキルアミンが好ましく炭素数の合計が７以上、好ましくは９以上のものが更に好ましい。炭素数の合計が７以上の有機カチオンを含有すると、多くの有機溶媒にも分散が可能となる。なお、上記４級アンモニウムイオンとしては、テトラアルキルアンモニウムイオンが好ましいが、そのうち、テトラエチルアンモニウムイオンが好ましく、テトラプロピルアンモニウムイオンがより好ましく、テトラブチルアンモニウムイオンが更に好ましい。有機カチオンは層状チタン酸化物の剥離のために使用されたものであってもよく、この場合、アルキル基の有する炭素数が多くなるほど分子形状が大きくなり層状チタン酸化物粒子の層間に挿入された際に層間隔を広げ易くなるからである。一方、テトラアルキルアンモニウムイオンのうち、テトラメチルアンモニウムイオンを用いる場合は、コストパフォーマンスの点で好ましい。また、薄片状チタン酸化物の粒子表面には、有機溶媒への分散性、樹脂の親和性等の観点から、従来の界面活性剤、カップリング剤等の有機化合物やシリカ、アルミナ等の無機化合物を被覆しても良い。
【００１５】
有機溶媒分散体中の薄片状チタン酸化物粒子の含有量は適宜調整することができるが、有機溶媒分散体の重量に対して０．００１重量％以上が好ましく、０．０１重量％以上がより好ましく、０．０２重量％以上がより好ましく、０．０５重量％以上がより好ましく、０．１重量％以上が更に好ましい。含有量が高くなりすぎると層間に有機カチオンを挟んだ層状チタン酸化物(オスモティック膨潤相)となり、分散の点で好ましくない。そのため、有機溶媒分散体の重量に対して１０重量％以下が好ましく、より好ましくは１．０重量％以下である。このことから、有機溶媒分散体の重量に対して０．００１〜１０重量％がより好ましく、０．０１〜１０重量％がより好ましく、０．０２〜１０重量％がより好ましく、０．０５〜１０重量％が更に好ましく、０．０５〜１．０重量％が更に好ましく、０．１〜１．０重量％が特に好ましい。
【００１６】
有機溶媒は、用途に応じて適宜選択することができ、例えばアルコール、ニトリル、アミド、ケトン、スルホキシド等の極性溶媒が好ましく、誘電率が５以上の有機溶媒であると薄片状チタン酸化物粒子が分散し易いためより好ましく、誘電率が１０以上の有機溶媒がより好ましい。このような有機溶媒としてはアセトニトリル（誘電率３７、沸点８２℃）、メタノール（誘電率３３、沸点６５℃）、ジメチルスルホキシド（誘電率４７、沸点１８９℃）、エタノール（誘電率２４、沸点７８．３℃）、２−プロパノール（誘電率１８、沸点８２．５℃）、Ｎ，Ｎ−ジメチルホルムアミド（誘電率３８、沸点１５３℃）、メチルエチルケトン（誘電率１８．５、沸点８０℃）、１−ブタノール（誘電率１７．８、沸点１１８℃）及びホルムアミド（誘電率１０９、沸点２１０℃）からなる群より選ばれる少なくとも一種がより好ましい。
【００１７】
本発明の有機溶媒分散体は、薄片状チタン酸化物粒子の重量に対する薄片状ナノシートの重量（以下、剥離率ということがある。）が、５０重量％以上であることが好ましく、７０重量％以上であることがより好ましく、９０％であることが更に好ましい。
剥離率は、本発明の有機溶媒分散体を遠心分離機にかけてナノシート以外の粒子を分離除去したものの固形分と、遠心分離前のものの固形分とを、重量について比較することで求めることができる。
遠心分離の回転数は、薄片状チタン酸化物粒子の大きさ等によって適宜設定するが、ナノシートの大きさがサブミクロンオーダーであれば、３０００ｒｐｍ、１０分程度の条件で、ナノシートのみを含んだ有機溶媒分散体と、ナノシート以外の薄片状チタン酸化物粒子を含んだ沈降物に分離することができる。
【００１８】
本発明の有機溶媒分散体は、水分をほとんど含有しておらず、好ましい含水率は１０重量％以下であり、５重量％以下がより好ましく、１重量％以下がより好ましく、０．５重量％以下が更に好ましく、０．１重量％以下が更により好ましい。
【００１９】
有機溶媒分散体には、薄片状チタン酸化物粒子、有機溶媒以外にも、本発明の効果を阻害しない範囲で、上述の有機カチオンのほか、樹脂バインダー、分散剤、表面調整剤（レベリング剤、濡れ性改良剤）、ｐＨ調整剤、消泡剤、乳化剤、着色剤、増量剤、防カビ剤、硬化助剤、増粘剤等の各種添加剤、充填剤等が第三成分として含まれていても良い。具体的には、樹脂バインダーとしては、（１）無機系バインダー（（ａ）重合性ケイ素化合物（加水分解性シラン又はその加水分解生成物又はその部分縮合物、水ガラス、コロイダルシリカ、オルガノポリシロキサン等）、（ｂ）金属アルコキシド類等）、（２）有機系バインダー（アルキド系樹脂、アクリル系樹脂、ポリエステル系樹脂、エポキシ系樹脂、フッ素系樹脂、変性シリコーン系樹脂）等が挙げられる。分散剤としては、（１）界面活性剤（（ａ）アニオン系（カルボン酸塩、硫酸エステル塩、スルホン酸塩、リン酸エステル塩等）、（ｂ）カチオン系（アルキルアミン塩、アルキルアミンの４級アンモニウム塩、芳香族４級アンモニウム塩、複素環４級アンモニウム塩等）、（ｃ）両性（ベタイン型、アミノ酸型、アルキルアミンオキシド、含窒素複素環型等）、（ｄ）ノニオン系（エーテル型、エーテルエステル型、エステル型、含窒素型等）等、（２）シリコーン系分散剤（アルキル変性ポリシロキサン、ポリオキシアルキレン変性ポリシロキサン等）、（３）リン酸塩系分散剤（リン酸ナトリウム、ピロリン酸ナトリウム、オルトリン酸ナトリウム、メタリン酸ナトリウム、トリポリリン酸ナトリウム等）、（４）アルカノールアミン類（アミノメチルプロパノール、アミノメチルプロパンジオール等）等が挙げられる。表面調整剤は有機溶媒分散体の表面張力をコントロールして、ハジキ、クレーター等の欠陥を防止するものであり、アクリル系表面調整剤、ビニル系表面調整剤、シリコーン系表面調整剤、フッ素系表面調整剤等が挙げられる。
【００２０】
本発明の有機溶媒分散体は、薄片状チタン酸化物粒子を基材にコートするためのコーティング剤として好適である。コーティング剤には、薄片状チタン酸化物粒子を有機溶媒に分散した分散体の他、更に、前記の樹脂バインダー、分散剤、表面調整剤（レベリング剤、濡れ性改良剤）、ｐＨ調整剤、消泡剤、乳化剤、着色剤、増量剤、防カビ剤、硬化助剤、増粘剤等の各種添加剤、充填剤等を第三成分として含むものが含まれる。分散剤等の第三成分の添加量は適宜調整することができ、例えば分散剤として前記の界面活性剤、シリコーン系分散剤、リン酸塩系分散剤、アルカノールアミン類を用いる場合は、薄片状チタン酸化物粒子の重量に対して０．００５〜２．０重量％程度が好ましく、０．０１〜０．２重量％程度がより好ましい。表面調整剤としては前記のシリコーン系表面調整剤等を用いることができ、薄片状チタン酸化物粒子の重量に対して０．００５〜２．０重量％程度が好ましく、０．０１〜０．２重量％程度がより好ましい。このようなコーティング剤を用いて基材にコートすると、幅及び長さの大きい前記の薄片状チタン酸化物粒子が基材に平行に配向して配置するため基材の被覆率が高いチタン酸化物薄膜、具体的には被覆率が９０％以上、好ましくは９５％以上の稠密なチタン酸化物薄膜を作製することができる。しかも、薄片状チタン酸化物粒子の重なりが少ない状態、具体的には大半は粒子の重なりがない１粒子の厚みで膜が形成され、残りの部分においても、せいぜい２〜３粒子程度が重なり合った厚みで形成された単層チタン酸化物薄膜を作製することができ、Langmuir-Blodgett膜に近い品質の稠密単層膜が得られる。
【００２１】
コーティング剤中の薄片状チタン酸化物粒子の含有量は適宜調整することができるが、稠密単層膜を得ようとする場合には、有機溶媒分散体の重量に対して０．００１〜１．０重量％がより好ましく、０．０１〜１．０重量％がより好ましく、０．０２〜０．５重量％が更により好ましい。濃度が低すぎる場合には、基材表面に粒子がまばらに存在することになって被覆率が低下し、濃度が高すぎる場合には粒子の重なりが生じやすくなる。高品質のチタン酸化物ナノシート多層膜を得ようとする場合に、最も好適なのは、上記の稠密単層コーティングを繰り返し、重ね塗りする方法である。また、簡便には、コーティング剤中の薄片状チタン酸化物粒子の含有量を高くすることによっても酸化物ナノシート多層膜を作成することができる。
【００２２】
本発明の有機溶媒分散体の製造方法は、少なくとも一種の第三元素を含む層状チタン酸化物を有機カチオンと接触させ、層状構造を剥離して、少なくとも一種の第三元素を含む薄片状チタン酸化物粒子の水性分散体を製造する工程（第一工程ということがある）、
前記水性分散体から、少なくとも一種の第三元素を含む薄片状チタン酸化物粒子を含む固形分を抽出する工程（第二工程ということがある）、及び
前記固形分と有機溶媒とを混合して分散させる工程（第三工程ということがある）、を含む。
【００２３】
前記の第一工程は、少なくとも一種の第三元素を含む層状チタン酸化物を有機カチオンと接触させ、層状構造を剥離して、少なくとも一種の第三元素を含む薄片状チタン酸化物粒子、好ましくはチタン酸化物のナノシートの水性分散体を製造する工程である。この第一工程で使用する層状チタン酸化物としては、まず、少なくとも一種の第三元素を含む層状チタン酸のアルカリ金属塩を合成し、次いで、得られた層状チタン酸アルカリ金属塩を水溶媒に懸濁した後、塩酸、硫酸、硝酸などの酸を添加し、アルカリ金属イオンを抽出し水素イオンで置換した層状チタン酸化物を用いるのが好ましい。
【００２４】
少なくとも一種の第三元素を含む層状チタン酸のアルカリ金属塩は、含有させる第三元素の酸化物（ここではＭＯという）及び含有させる第三元素以外のアルカリ金属を含むアルカリ金属酸化物（ここではＭ’２Ｏという）又は加熱により各々ＭＯ及びＭ’２Ｏに分解される各化合物と、二酸化チタン又は加熱により二酸化チタンを生ずる化合物とを混合し、５００〜１５００℃、更に好ましくは６００〜１３００℃の温度で焼成して製造することが好ましい。反応を十分に行って原料組成物の残存量を少なくし、また、別の組成の物質の生成を抑えるには、上記の温度範囲が好ましい。
それぞれの化合物の混合割合は、目的とする組成に応じて適宜設定することができる。
含有させる第三元素の酸化物ＭＯ又は加熱によりＭＯに分解される化合物としては、周期表Ｉａ族、ＩＩａ族、ＩＩＩａ族、ＩＶａ族、Ｖａ族、Ｉｂ族、ＩＩｂ族、ＩＩＩｂ族、ＩＶｂ族（チタンを除く）、Ｖｂ族、ＶＩｂ族、ＶＩＩｂ族、ＶＩＩＩ族の元素を含む酸化物、炭酸塩、水酸化物、硝酸塩、硫酸塩が挙げられ、好ましくは、Ｌｉ、Ｍｇ、Ａｌ、Ｓｎ、Ｓｂ、Ｃｕ、Ｚｎ、Ｚｒ、Ｖ、Ｎｂ、Ｃｒ、Ｍｏ、Ｗ、Ｍｎ、Ｆｅ、Ｃｏ、Ｎｉ、Ｒｕ、Ｃｅなどの元素を含む酸化物、炭酸塩、水酸化物、硝酸塩、硫酸塩が挙げられる。
またアルカリ金属酸化物Ｍ’Ｏまたは加熱によりＭ’Ｏに分解される化合物としては、Ｌｉ、Ｋ、Ｒｂ、Ｃｓなどの元素を含む酸化物、炭酸塩、水酸化物、硝酸塩、硫酸塩が挙げられ、好ましくは、炭酸塩である。
Ｍ’はＭよりも活性が高く、次工程において酸により抽出され水素イオンにより置換され、この結果、第三元素としてＭを含む層状チタン酸化物が得られる。アルカリ金属酸化物Ｍ’Ｏまたは加熱によりＭ’Ｏに分解される化合物として、２種以上を使用してもよい。好ましいＭとＭ’の組み合わせは（Ｍ、Ｍ’）＝（Ｆｅ、Ｋ）（Ｃｏ、Ｋ）、（Ｎｉ、Ｋ）（Ｎｂ、Ｋ）である。
２以上のＭＯ又は加熱によりＭＯに分解される化合物を使用することによって、２以上の第三元素を含む層状チタン酸化物も合成でき、この方法は１種のＭＯ又は加熱によりＭＯに分解される化合物を使用する場合に準じる。好ましいＭとＭ’の組み合わせはＭ＝（Ｆｅ、Ｃｏ）、Ｍ’＝Ｋである。
均一で単相の化合物を得るためには、前記合成工程の中、混合を十分に行うことが好ましく、原料粉末を自動乳鉢などで摩砕混合することが好ましい。また、層状チタン酸アルカリ金属塩を製造する際の焼成温度を適宜選択したり、焼成の際に融剤を添加する所謂フラックス法を採用することによって、層状チタン酸アルカリ金属塩の粒子の大きさを適宜調整することができ、これにより薄片状チタン酸化物の粒子の大きさを適宜制御することができる。
【００２５】
次いで、得られた層状チタン酸アルカリ金属塩を水溶媒に懸濁した後、塩酸、硫酸、硝酸などの酸を添加し、アルカリ金属イオンＭ’を抽出して、水素イオンで置換した層状チタン酸化物を得るのが好ましい。前記の方法で得られた層状チタン酸アルカリ金属塩のアルカリ金属イオンＭ’は活性であるので、他の陽イオンとの交換反応や有機物のインターカレーションによるとり込みを起こす。このため、酸水溶液と接触させると、層間（Ｍ’）のアルカリ金属イオンが、短時間で水素イオン（存在形態はヒドロニウムイオン）と交換され、工業的に生産する場合に効率よく、生産コストの低い薄片状チタン酸化物の水性分散体を得ることができる。酸の添加量、酸濃度、反応温度、反応時間等の条件はアルカリ金属イオンの抽出の程度に応じて適宜設定することができる。アルカリ金属イオンの抽出量は、７５％以上が好ましく、９０％以上がより好ましい。
【００２６】
次に、少なくとも一種の第三元素、すなわちＭを含む層状チタン酸化物を有機カチオン（塩基性化合物）と接触させ、層状構造を剥離して、少なくとも一種の第三元素を含む薄片状チタン酸化物粒子の水性分散体を製造する。具体的には、この層状チタン酸化物に含まれる水素イオン（Ｈ＋）に対して好ましくは０．０５〜３中和当量の範囲の有機カチオン源である塩基性化合物を媒液中で混合して、層状チタン酸化物に含まれる水素イオンを脱離させるとともに塩基性化合物を層間に挿入させ、次いで、層を剥離させて薄片状チタン酸化物粒子を製造するのが好ましい。塩基性化合物の量が前記範囲より少ないと十分に剥離せず、多すぎると膨潤はするが却って有機カチオンを介した層間相互作用が強くなり剥離が困難になる。より好ましい量は０．１〜３中和当量、更に好ましくは０．９〜１．５中和当量である。このような塩基性化合物の一部は有機カチオンとして薄片状チタン酸化物に、好ましくは粒子表面に含まれる。
【００２７】
塩基性化合物としては、（１）水酸化４級アンモニウム化合物（水酸化テトラメチルアンモニウム、水酸化テトラエチルアンモニウム、水酸化テトラプロピルアンモニウム、水酸化テトラブチルアンモニウム等）、（２）アルキルアミン化合物（プロピルアミン、ジエチルアミン等）、（３）アルカノールアミン化合物（エタノールアミン、アミノメチルプロパノール等）等が挙げられ、中でも水酸化４級アンモニウム化合物、アルキルアミン化合物が反応性に優れ好ましく、水酸化テトラブチルアンモニウム化合物等の炭素数の合計が７以上、好ましくは９以上のものを用いると有機溶媒分散体としたときにも薄片状チタン酸化物粒子の分散剤として有効に働くためより好ましい。上記水酸化４級アンモニウム化合物としては、水酸化テトラアルキルアンモニウムが好ましいが、そのうち、剥離率を向上させるためには、水酸化テトラエチルアンモニウムが好ましく、水酸化テトラプロピルアンモニウムがより好ましく、水酸化テトラブチルアンモニウムが更に好ましい。このように、水酸化テトラアルキルアンモニウムを用いる場合は、個々のアルキル基が含有する炭素数が増えるに従い剥離率が増加する。一方、テトラメチルアンモニウム化合物を用いる場合は、コストパフォーマンスを向上させることができるため、好ましい。
この工程で使用される媒液としては、水を用いるのが好ましい。媒液への層状チタン酸化物及び塩基性化合物の添加の順序は特に限定されず、例えば水に層状チタン酸化物と塩基性化合物を加え、撹拌して混合することができる。また層状チタン酸化物を水に分散させたスラリーに塩基性化合物を加えても、塩基性化合物水溶液に層状チタン酸化物を加えても良い。次いで、撹拌を続けると層状チタン酸化物の層が剥離して、薄片状チタン酸化物粒子が得られる。また、層間剥離の程度をより高めるため、溶液を入れた容器を振とうしても良い。この振とうにより、ホスト層一枚単位まで剥離した長さ及び幅がそれぞれ０．１μｍ以上、厚みが1ｎｍ程度のナノシートを効率よく製造することができる。振とうには、振とう器、ペイントコンディショナー、シェーカー等を用いることができる。
【００２８】
次に、第二工程では、薄片状チタン酸化物粒子の水性分散体から少なくとも一種の第三元素を含む薄片状チタン酸化物粒子を含む固形分を抽出する。抽出方法は薄片状チタン酸化物粒子の分散状態に応じて適宜選択することができ、高度に分散している場合には、遠心分離及び／又は凍結乾燥するのが好ましい。水性分散体を遠心分離すると、沈降物と媒液を分取することができる。遠心分離には通常の遠心分離機を用いることができる。所望の含水率に調整するために、遠心分離を２回以上繰り返しても良い。あるいは、薄片状チタン酸化物粒子の水性分散体を凍結乾燥すると液媒体への再分散が容易な乾燥物を得ることができる。凍結乾燥には通常の凍結乾燥機を用いることができる。遠心分離と凍結乾燥はそれぞれを組み合わせることができ、遠心分離を行った沈降物を凍結乾燥しても良い。
【００２９】
次に、第三工程では、得られた沈降物や凍結乾燥物を有機溶媒と混合し、少なくとも一種の第三元素を含む薄片状チタン酸化物粒子を分散させて、有機溶媒分散体を得る。薄片状チタン酸化物粒子を分散させるには、前記と同様の通常の撹拌機、コロイドミル、ボールミル、ビーズミル等の分散機、振とう器、ペイントコンディショナー、シェーカー等を用いることができ、その際、上記の第三成分を添加することができる。
【００３０】
前記の薄片状チタン酸化物粒子を含む有機溶媒分散体やコーティング剤を基材上にコートして成膜して、少なくとも一種の第三元素を含むチタン酸化物薄膜とする。また、チタン酸化物薄膜の厚みは、コート方法を適宜選択して任意の厚みとすることができる。基材の材質には、プラスチックス、ガラス、セラミックス、金属、木材、繊維等特に制限を受けない。基材の表面には、チタン酸化物薄膜と基材との密着性を向上させたり、基材を保護する等の目的で、予めプライマー層を形成しておいても、チタン酸化物薄膜を保護する等の目的で、膜の表面にトップコート層を形成しても良い。プライマー層やトップコート層の形成には、前述の無機系バインダー、有機系バインダー等を用いることができる。
【００３１】
チタン酸化物薄膜の好ましい態様は、前記の薄片状チタン酸化物粒子が基材に平行に配向して配置した基材の被覆率が高いチタン酸化物薄膜、具体的には被覆率が９０％以上、好ましくは９５％以上のチタン酸化物薄膜である。このように被覆率が９０％以上の膜を稠密膜といい、被覆率は走査プローブ顕微鏡写真の画像解析から求める。また、薄片状チタン酸化物粒子の重なりが少ない状態、具体的には大半は粒子の重なりがない１粒子の厚みで膜が形成され残りの部分もせいぜい２〜３粒子程度が重なり合った厚みで形成された単層チタン酸化物薄膜が好ましく、Langmuir-Blodgett膜に近い品質の稠密単層膜がより好ましい。既知の濃度の薄片状チタン酸化物ゾルの吸光度測定と、薄片状チタン酸化物の単位格子から薄片状チタン酸化物の単層膜の理論吸光度を算出し、この理論吸光度と実際に測定されたチタン酸化物の吸光度とを比較することで単層膜であることを確認することができる。具体的には本発明においては少なくとも一種の第三元素を含むチタン酸化物の単層膜の理論吸光度に対し、８０〜１２０％、好ましくは９０〜１１０％の吸光度を示す膜を単層膜とする。チタン酸化物薄膜の厚みは、薄片状チタン酸化物粒子の厚みや粒子の重なり具合により適宜設定することができる。
【００３２】
また、前記の単層チタン酸化物薄膜を積み重ねた積層チタン酸化物薄膜とすると種々の用途に用いることができ、好ましい。積層チタン酸化物薄膜は、単層チタン酸化物薄膜が積層した多層構造を有するチタン酸化物薄膜であって、各チタン酸化物薄膜において薄片状チタン酸化物粒子が配向した状態を保持しているため単層チタン酸化物薄膜の性状を維持し、しかも、多層構造により多くの薄片状チタン酸化物粒子を有することから、薄片状チタン酸化物粒子の特性を一層引き出すことができる。各層は、前記の稠密単層チタン酸化物薄膜で形成するのが好ましい。積層チタン酸化物薄膜の膜厚は、積層回数により適宜調整することができ、１〜２０ｎｍの範囲が好ましく、１〜１０ｎｍの範囲がより好ましい。さらにチタン酸化物ナノシートを用いると、積層数(膜厚)の精密な制御が可能となり、より優れた特性を得ることができる。一方、１回のコートによって２０ｎｍ程度の膜厚とすることもできるが、このような厚膜チタン酸化物膜では、薄片状チタン酸化物粒子がランダムに配置されるため、前記のような透明の膜は得られ難い。
【００３３】
基材に前記の有機溶媒分散体やコーティング剤をコートする方法としては、スピンコート、スプレー塗装、ローラーコート、ディップコート、フローコート、ナイフコート、静電塗装、バーコート、ダイコート、ハケ塗り、液滴を滴下する方法等、一般的な方法を制限無く用いることができる。ディップコートであれば、基材の両面にチタン酸化物薄膜を作製することができ、スピンコート、スプレー塗装、ローラーコート、フローコート等であれば基材の片面にチタン酸化物薄膜を作製することができる。膜厚をより厚くするのであれば、重ね塗りを行っても良い。コートしたものから有機溶媒を除去すればチタン酸化物薄膜が成膜するが、成膜は５〜３００℃の範囲の温度下で行うのが好ましい。前記の温度範囲の下限はそれぞれ室温が好ましい。また、湿度を５０〜１００％程度に保持した状態、好ましくは６０〜９５％程度の湿度で成膜しても良い。前記の成膜条件、具体的にはコーティング剤中の薄片状チタン酸化物粒子の濃度、成膜温度、成膜の際の湿度、成膜の際の基材の配置等の条件を適宜設定することにより、成膜速度、有機溶媒の蒸発速度を適宜制御すると、薄片状チタン酸化物粒子による基材の被覆率が高いチタン酸化物薄膜、具体的には被覆率が９０％以上、好ましくは９５％以上のチタン酸化物薄膜を製造することができる。また、薄片状チタン酸化物粒子の重なりが少ない状態、具体的には大半の粒子の重なりがない１粒子の厚みで形成され残りの部分においてもせいぜい２〜３粒子程度が重なり合った厚みで形成された単層チタン酸化物薄膜を製造することができ、Langmuir-Blodgett膜に近い品質の稠密単層膜を製造することができる。好ましい条件として、有機溶媒にジメチルスルホキシドを用いる場合、薄片状チタン酸化物粒子の濃度を０．０２〜０．１重量％とし、成膜温度を１０〜３５℃、湿度を６０％以上とすると稠密単層チタン酸化物薄膜を製造することができる。また、有機溶媒にＮ，Ｎ−ジメチルホルムアミドを用いる場合、薄片状チタン酸化物粒子の濃度を０．０２〜０．１重量％、成膜温度を１５〜３５℃、湿度を９０％以上とすると稠密単層チタン酸化物薄膜を製造することができる。また、成膜の際に基材を斜めあるいは垂直に配置することにより、有機溶媒が下方向に流れるとともに上方から徐々に有機溶媒が蒸発しゆっくりとした成膜が進み、余分な薄片状チタン酸化物は基材から流れ落ちるため稠密単層チタン酸化物薄膜が得られ易い。斜めあるいは垂直とは具体的には基材を、水平面を基準に１５〜９０°の角度に保持することをいい、好ましくは３０〜９０°程度、より好ましくは６０〜８０°程度である。一方、基材を水平（角度０°）に配置すると基材の中心に向かって溶媒が乾燥し、余分な薄片状チタン酸化物が基材中央へ寄せ集められるため、基材全体にわたって単層稠密配列したチタン酸化物薄膜は得られ難い。
【００３４】
また、前記の有機溶媒分散体やコーティング剤を基材にコートし、次いで、５〜３００℃の範囲の温度下で成膜する操作を少なくとも２回繰り返して、薄片状チタン酸化物粒子の多層膜を積層させることができる。コートの回数は適宜設定することができる。各層の成膜は、前記のチタン酸化物薄膜の成膜条件に準じて行うことができ、各層を稠密単層チタン酸化物薄膜で形成するのが好ましい。また、前記の積層チタン酸化物薄膜を基材の耐熱性に応じて必要であれば焼成しても良く、密着性を高めるために２００〜８００℃程度の温度で焼成しても良い。
【００３５】
チタン酸化物薄膜を形成した基材は種々の用途に用いることができる。例えば、紫外線遮蔽剤、透明性材料、反射防止材料、光触媒性材料、フォトクロミック性材料、エレクトロクロミック性材料、ガスバリヤー性材料、誘電体、圧電体等のファインセラミックス材料、光電変換材料、フォトクロミック材料、導電性材料、赤外線反射材料、磁性半導体、電池の電極材料、各種センサー、更には他物質の配向結晶成長のためのシードレイヤー等の機能性材料に用いることができる。これらの用途への使用は従来から用いられている形態、担持状態、配合割合に応じて薄片状チタン酸化物等を適用すれば良く、例えば光触媒体として用いる場合には、少なくとも一種の第三元素を含むチタン酸化物のバンドギャップ以上のエネルギーを有する波長の光を照射して、有害物質、悪臭物質、汚れ等を除去したり、超親水性効果による防汚、防曇作用等を活用することができる。また、薄片状チタン酸化物粒子を含む有機溶媒分散体は樹脂と混合して、塗料、インキ等の液状樹脂組成物とすることもでき、あるいは、それを成形してプラスチック成形体、シート、フィルム等の固体樹脂組成物とすることもできる。このような樹脂としては前記の樹脂バインダーや生分解性樹脂、紫外線硬化性樹脂、熱硬化性樹脂等を適宜用いることができ、薄片状チタン酸化物粒子の配合量、その他の添加剤の配合量等は適宜設定することができる。
【実施例】
【００３６】
以下に本発明の実施例を示すが、本発明はこれらに制限されるものではない。
【００３７】
（１）薄片状チタン酸化物の有機溶剤分散体の調製
【００３８】
実施例１
炭酸カリウム（Ｋ２ＣＯ３）と酸化鉄（Ｆｅ２Ｏ３）と二酸化チタン（ＴｉＯ２）をＫ０．８Ｔｉ１．２Ｆｅ０．８Ｏ４のモル比となるように混合し、十分に摩砕した。これを８００℃の温度で４０時間焼成し、チタン原子の一部が鉄原子で置換された層状チタン酸アルカリ金属塩粉末を得た。
前記の粉末１ｇに対して、１規定の塩酸１００ｃｍ３を加え、１日間室温で撹拌しながら反応させ、沈降した固形分を残して上澄みを捨てた。次に、得られた固形分に対して同様の処理を９回行い、その後、濾過、水洗、乾燥して、活性なカリウムイオンを水素イオンで置換した層状化合物の粉末を得た。次いで、層状化合物の粉末０．４ｇを、層状化合物中のＨ＋量に対して１中和当量の水酸化テトラブチルアンモニウムを溶解した水溶液０．１リットルに加え層間を膨潤させ、シェーカーで１５０回転／分程度の振とうを１０日間行って層間を剥離して、チタン原子の一部が鉄原子で置換された薄片状チタン酸化物が分散された水性分散体（試料ａ）を得た。この分散体は鉄原子に由来する黄色を呈していた。試料ａの薄片状チタン酸化物の組成式は仕込み比からＴｉ０．６Ｆｅ０．４Ｏ２である。
次に、試料ａを遠心分離機（日立工機株式会社製、CP 100MX）を使用して、１５０００ｒｐｍ、３０分間遠心分離した。透明な上澄みを捨て、捨てた上澄みと同量のジメチルスルホキシドを追加して軽く振とうして、有機溶媒分散体（試料Ａ）を得た。試料Ａは、無色透明ではなく、試料ａと同様の色を呈していた。
【００３９】
実施例２
炭酸カリウム（Ｋ２ＣＯ３）と酸化コバルト（Ｃｏ３Ｏ４）と二酸化チタン（ＴｉＯ２）をＫ０．８Ｔｉ１．６Ｃｏ０．４Ｏ４のモル比となるように混合し、十分に摩砕した。これを８００℃の温度で４０時間焼成し、チタン原子の一部がコバルト原子で置換された層状チタン酸アルカリ金属塩粉末を得た。
次に、実施例１と同様の処理を行い、チタン原子の一部がコバルト原子で置換された薄片状チタン酸化物水性分散体（試料ｂ）を得た。この分散体はコバルト原子に由来する黒色を呈していた。試料ｂの薄片状チタン酸化物の組成式は仕込み比からＴｉ０．８Ｃｏ０．２Ｏ２である。
次に、試料ｂを遠心分離機（日立工機株式会社製、CP 100MX）を使用して、１５０００ｒｐｍ、３０分間遠心分離した。透明な上澄みを捨て、捨てた上澄みと同量のジメチルスルホキシドを追加して軽く振とうして、有機溶媒分散体（試料Ｂ）を得た。試料Ｂは、無色透明ではなく、試料ｂと同様の色を呈していた。
【００４０】
実施例３
炭酸カリウム（Ｋ２ＣＯ３）と酸化ニッケル（ＮｉＯ）と二酸化チタン（ＴｉＯ２）をＫ０．８Ｔｉ１．６Ｎｉ０．４Ｏ４のモル比となるように混合し、十分に摩砕した。これを８００℃の温度で４０時間焼成し、チタン原子の一部がニッケル原子で置換された層状チタン酸アルカリ金属塩粉末を得た。
次に、実施例１と同様の処理を行い、チタン原子の一部がニッケル原子で置換された薄片状チタン酸化物水性分散体（試料ｃ）を得た。この分散体はニッケル原子に由来する薄緑色を呈していた。試料ｃの薄片状チタン酸化物の組成式は仕込み比からＴｉ０．８Ｎｉ０．２Ｏ２である。
次に、試料ｃを遠心分離機（日立工機株式会社製、CP 100MX）を使用して、１５０００ｒｐｍ、３０分間遠心分離した。透明な上澄みを捨て、捨てた上澄みと同量のジメチルスルホキシドを追加して軽く振とうして、有機溶媒分散体（試料Ｃ）を得た。試料Ｃは、無色透明ではなく、試料ｃと同様の色を呈していた。
【００４１】
実施例４
炭酸カリウム（Ｋ２ＣＯ３）と酸化ニオブ（Ｎｂ２Ｏ５）と酸化チタン（ＴｉＯ２）をＫＴｉＮｂＯ５のモル比となるように混合し、十分に摩砕した。これを１０００℃の温度で２４時間焼成し、層状チタノニオブ酸アルカリ金属塩粉末を得た。
次に、前記の粉末１ｇに対して、６規定の硝酸１００ｃｍ３を加え、３日間室温で撹拌しながら反応させた。その後、濾過、水洗、乾燥して、活性なカリウムイオンが水素イオンで置換された層状化合物の粉末を得た。次いで、層状化合物の粉末０．４ｇを、層状化合物中のＨ＋量に対して１中和当量の水酸化テトラブチルアンモニウムを溶解した水溶液０．１リットルに加え層間を膨潤させ、シェーカーで１５０回転／分程度の振とうを１０日間行って層間を剥離して、薄片状チタノニオブ酸水性分散体（試料ｄ）を得た。この分散体は白色を呈していた。試料ｄの薄片状チタノニオブ酸の組成式は仕込み比からＴｉＮｂＯ５である。
次に、試料ｄを遠心分離機（日立工機株式会社製、CP 100MX）を使用して、１５０００ｒｐｍ、３０分間遠心分離した。透明な上澄みを捨て、捨てた上澄みと同量のジメチルスルホキシドを追加して軽く振とうして、有機溶媒分散体（試料Ｄ）を得た。試料Ｄは、無色透明ではなく、試料ｄと同様の色を呈していた。
【００４２】
実施例５〜８
実施例１〜４において、使用した有機溶媒をジメチルスルホキシドからアセトニトリルに代えること以外は同様の方法を用いて、それぞれの有機溶媒分散体（試料Ａ１〜Ｄ１）を得た。
【００４３】
前記の試料Ａ１〜Ｄ１にアセトニトリルを追加して２５０倍希釈ゾルとした後、分光光度計（日立ハイテクノロジーズ製、U-4000）を用いて吸光度を測定した。また実施例１〜４にて作成した水性分散体（試料ａ〜ｄ）に純水を加えて２５０倍希釈した水溶液について、同様の吸光度測定を行った。その結果を併せて図１〜４に示す。図中、実線は有機溶媒分散体の吸光度を示し、破線は水性分散体の吸光度を示す。有機溶媒分散体のスペクトルプロファイルと水系分散体のプロファイルが一致することから、それぞれの薄片状チタン酸化物は有機溶媒中においても水と同様の分散状態を示すことが示唆された。なお、有機溶媒分散体で見られる２１０ｎｍ付近の吸光度減少は溶媒の影響によるものと考えられる。
【００４４】
（２）チタン酸化物薄膜の調製
【００４５】
実施例９〜１２
実施例１〜４で得られた試料Ａ〜Ｄに４倍の重量のジメチルスルホキシドを追加して５倍希釈ゾルを作製した。その５倍希釈ゾルをシリコンウェハーにディップコートし、室温で溶媒を揮発させて、少なくとも一種の第三元素を含むチタン酸化物薄膜（試料Ａ２〜Ｄ２）を得た。
【００４６】
実施例９〜１２で得られたチタン酸化物薄膜中の薄片状チタン酸化物粒子の配列を走査プローブ顕微鏡により観察した。写真を図５〜図８に示す。図５〜図８を見ると、得られたチタン酸化物薄膜はサブミクロン〜ミクロンオーダーの幅及び長さを有するシート状の酸化物が隙間なく敷き詰められた状態となっていることが分かる。画像解析からシート状チタン酸化物の厚さは１ｎｍ〜２ｎｍ、チタン酸化物による基板の被覆率はいずれも９０％以上であった。走査プローブ顕微鏡観察の結果から、実施例１〜４に記載の方法により、各種薄片状チタン酸化物が原子にして数個分の厚みしか有さない状態で均一に分散している有機溶媒分散体（試料Ａ〜Ｄ）が作製可能であることが確認された。またこの有機溶媒分散体を基板にディップコートするだけで薄片状酸化物が稠密に配列したチタン酸化物薄膜が作製可能であることが確認された。
【産業上の利用可能性】
【００４７】
本発明の薄片状チタン酸化物の有機溶剤分散体は、例えば、光触媒、紫外線遮蔽剤、透明性材料、反射防止材料、ガスバリヤー性材料、誘電体、圧電体等のファインセラミックス材料、光電変換材料、フォトクロミック材料、導電性材料、赤外線反射材料、磁性半導体、電池の電極材料、各種センサー、更には他物質の配向結晶成長のためのシードレイヤー等の種々の用途に用いることができるチタン酸化物薄膜を作製するために、有用である。
【図１】
2011184274.tif 000003
【図２】
2011184274.tif 000004
【図３】
2011184274.tif 000005
【図４】
2011184274.tif 000006
【図５】
2011184274.tif 000007
【図６】
2011184274.tif 000008
【図７】
2011184274.tif 000009
【図８】
2011184274.tif 000010